(57)【要約】【課題】  広々とした感覚と安心感とを両立させることができ、上面の高さ位置を個人個人に合わせることができる車両用インストルメントパネルの提供。【解決手段】  車体に対し上下移動可能に設けられたインストルメントパネル本体２１と、このインストルメントパネル本体２１を上下に移動させる移動手段３０とを有する。移動手段３０がインストルメントパネル本体２１を上下に移動させることで、インストルメントパネル本体２１の上面２１ａの高さ位置を必要により調整する。【選択図】        図１
2005247246.tif 000002
【特許請求の範囲】
【請求項１】
車体に対し上下移動可能に設けられたインストルメントパネル本体と、
該インストルメントパネル本体を上下に移動させる移動手段とが設けられていることを特徴とする車両用インストルメントパネル。
【請求項２】
前記移動手段は、車速に応じて前記インストルメントパネル本体の高さ位置を制御することを特徴とする請求項１記載の車両用インストルメントパネル。
【請求項３】
前記移動手段は、停車時に比して走行時の前記インストルメントパネル本体の高さ位置を高くすることを特徴とする請求項２記載の車両用インストルメントパネル。
【請求項４】
前記移動手段は、車体側に設けられたウオームギアと前記インストルメントパネル本体側に設けられたラックギアとを有することを特徴とする請求項１乃至３のいずれか一項記載の車両用インストルメントパネル。
【発明の詳細な説明】
【技術分野】
【０００１】
本発明は、車両用インストルメントパネルに関する。
【背景技術】
【０００２】
車両用インストルメントパネルとして例えば特許文献１に開示されたものがあるが、従来の車両用インストルメントパネルは車体に対し高さ位置が固定された状態で取り付けられている。
【特許文献１】特開平７−１５６６８９号公報
【発明の開示】
【発明が解決しようとする課題】
【０００３】
ところで、乗員の目線の下側に配置されるインストルメントパネルについて、その上面の高さ位置が低いデザインを採用すると、乗員に車室内が広々とした感覚（開放感）を与えることができ、その一方で、インストルメントパネルの上面の高さ位置が高いデザインを採用すると、走行時に乗員に安心感を与えることができることが一般に知られている。しかしながら、従来のインストルメントパネルはその車体に対する高さ位置が固定されていることから、広々とした感覚と安心感とを両立させることはできないという問題があった。また、インストルメントパネルの上面の高さ位置の好みは人それぞれ異なっており、高さ位置が固定であると個人個人に合わせることができないという問題もあった。
【０００４】
したがって、本発明は、広々とした感覚と安心感とを両立させることができ、上面の高さ位置を個人個人に合わせることができる車両用インストルメントパネルの提供を目的とする。
【課題を解決するための手段】
【０００５】
上記目的を達成するために、請求項１に係る発明は、車体（例えば実施形態におけるフロントピラー１６）に対し上下移動可能に設けられたインストルメントパネル本体（例えば実施形態におけるインストルメントパネル本体２１）と、該インストルメントパネル本体を上下に移動させる移動手段（例えば実施形態における移動機構３０，コントローラ４４）とが設けられていることを特徴としている。
【０００６】
請求項２に係る発明は、請求項１に係る発明において、前記移動手段は、車速に応じて前記インストルメントパネル本体の高さ位置を制御することを特徴としている。
【０００７】
請求項３に係る発明は、請求項２に係る発明において、前記移動手段は、停車時に比して走行時の前記インストルメントパネル本体の高さ位置を高くすることを特徴としている。
【０００８】
請求項４に係る発明は、請求項１乃至３のいずれか一項に係る発明において、前記移動手段は、車体側に設けられたウオームギア（例えば実施形態におけるウオームギア３８）と前記インストルメントパネル本体側に設けられたラックギア（例えば実施形態におけるラックギア３２）とを有することを特徴としている。
【発明の効果】
【０００９】
請求項１に係る発明によれば、移動手段がインストルメントパネル本体を上下に移動させることから、インストルメントパネル本体の上面の高さ位置を必要により調整することができる。よって、停車時にインストルメントパネル本体の上面の高さ位置を低くすれば乗員に広々とした感覚を持たせることができ、走行時にインストルメントパネル本体の上面の高さ位置を高くすれば乗員に安心感を持たせることができて、広々とした感覚と安心感とを両立させることができる。また、インストルメントパネル本体の上面の高さ位置を個人個人の好みに合わせることもできる。
【００１０】
請求項２に係る発明によれば、移動手段が、車速に応じてインストルメントパネル本体の上面の高さ位置を制御することになるため、停車時にインストルメントパネル本体の上面の高さ位置を自動的に低くして乗員に広々とした感覚を持たせたり、走行時にインストルメントパネル本体の上面の高さ位置を自動的に高くして乗員に安心感を持たせたりすることができる。また、車速に応じてインストルメントパネル本体の上面の高さ位置を制御することで逆にインストルメントパネル本体の上面の位置からおおよその車速を乗員に把握させることができる。
【００１１】
請求項３に係る発明によれば、移動手段が、停車時に比して走行時のインストルメントパネル本体の上面の高さ位置を高くすることになるため、停車時にインストルメントパネル本体の上面の高さ位置を自動的に低くして乗員に広々とした感覚を持たせ、走行時にインストルメントパネル本体の上面の高さ位置を自動的に高くして乗員に安心感を持たせることができる。
【００１２】
請求項４に係る発明によれば、移動手段が、車体側に設けられたウオームギアとインストルメントパネル本体側に設けられたラックギアとを有しているため、高さ位置の微調整が可能であり、簡素な構成で正確にインストルメントパネル本体を上下に移動させることができる。
【発明を実施するための最良の形態】
【００１３】
本発明の一実施形態の車両用インストルメントパネルを図面を参照して以下に説明する。なお、以下の説明における前後は車体における前後である。
【００１４】
図１は、本実施形態の車両用インストルメントパネルを含む車体前部構造を概略的に示す側面図であって、車両１１の車室１２内において、前下がりに傾斜するフロントウインドシールド１３の下側に本実施形態の車両用インストルメントパネル１４が設けられている。
【００１５】
車両用インストルメントパネル１４は、車幅方向に広がる状態でフロントウインドシールド１３の下端部近傍に配置される樹脂製のガーニッシュ１５を有している。このガーニッシュ１５は、車体側の例えばダッシュアッパパネル１７に固定されるもので、図２にも示すように略水平に配置された状態でフロントウインドシールド１３の下端部近傍から後方に延出する上板部１８と、この上板部１８の後端縁部から略鉛直に沿い下方に延出する後板部１９とを有している。
【００１６】
また、車両用インストルメントパネル１４は、図１および図２に示すように、車幅方向に広がる状態でガーニッシュ１５の後側に隣り合って配置される主に樹脂で形成されたインストルメントパネル本体２１を有している。このインストルメントパネル本体２１は、車体に対し上下動可能に設けられるもので、略水平に配置された状態で前端縁部がガーニッシュ１５の後板部１９に近接対向する上板部２３と、この上板部２３の後端縁部から下方に延出する後板部２４と、車幅方向両側に設けられる側板部２５と、車幅方向に延在する金属パイプからなる取付メンバ２６と等を有しており、内部に図示略の助手席エアバッグモジュール等が収納されている。
【００１７】
さらに、車両用インストルメントパネル１４は、車幅方向における両端部（図１，図２において左側のみ、図３においては右側のみ図示）それぞれに、車体側のフロントピラー１６の下部に取り付けられるとともにインストルメントパネル本体２１を上下移動可能に支持ししかも互いに同期してインストルメントパネル本体２１を上下に移動させる移動機構（移動手段）３０が設けられている。
【００１８】
移動機構３０は、取付メンバ２６の左右方向の両端部に鉛直下方に延出するように固定されたラックギア３２を有しており、このラックギア３２は、後側の端縁部に上下方向にラックギア部３３が形成されるとともに、前側に上下方向に延在する角柱状の摺動部３４が形成されている。
【００１９】
また、移動機構３０は、車体側のフロントピラー１６の下部に固定されるとともに前側に上記ラックギア３２の摺動部３４を嵌合させるガイドレール部３６が上下方向に延在形成されたベース部材３７と、このベース部材３７におけるガイドレール部３６の後側に回転可能に支持されて上記ラックギア３２のラックギア部３３に噛み合うウォームギア３８と、同じくベース部材３７におけるガイドレール部３６の後側に設けられてウォームギア３８を駆動する電動モータ等のアクチュエータ３９とを有している。
【００２０】
そして、左右の移動機構３０が同期してアクチュエータ３９を回転させることでウォームギア３８を回転させて、ウォームギア３８に噛み合うラックギア３２をその摺動部３４をガイドレール部３６で案内しつつ上下に移動させる。これにより、ラックギア３２に固定されたインストルメントパネル本体２１が助手席エアバッグモジュール等の収納物と一緒に上下に移動つまり昇降する。
【００２１】
ここで、上記のように昇降可能に設けられたインストルメントパネル本体２１に対して、図４に示すステアリングコラム４１は独立して車体側に設けられている。つまり、ステアリングコラム４１は、ブラケット４２を介して車体側のダッシュアッパパネル１７に支持されており、インストルメントパネル本体２１の昇降に対し切り離されている。ステアリングコラム４１に計器類５０も設けられている。
【００２２】
左右の移動機構３０のアクチュエータ３９は互いに同期してインストルメントパネル本体２１を昇降させるように、図５に示すコントローラ（移動手段）４４で制御される。
【００２３】
コントローラ４４には、手動操作される昇降スイッチ４５と、車速を検出する車速センサ４６とが接続されており、コントローラ４４は、これらの信号からアクチュエータ３９を制御する。
【００２４】
コントローラ４４は、例えば、昇降スイッチ４５で上昇操作がなされるとアクチュエータ３９をこの操作がなされている間だけ正回転させることによりウォームギア３８を正回転させてラックギア３２つまりインストルメントパネル本体２１を上昇させることになり、図２および図６に示すようにインストルメントパネル本体２１が予め設定された上限位置に至る量だけアクチュエータ３９が正回転した場合には、昇降スイッチ４５での上昇操作に拘わらず、アクチュエータ３９を停止させる。
【００２５】
また、コントローラ４４は、昇降スイッチ４５で下降操作がなされるとアクチュエータ３９をこの下降操作がなされている間だけ逆回転させることによりウォームギア３８を逆回転させてラックギア３２つまりインストルメントパネル本体２１を下降させることになり、図１に示すようにインストルメントパネル本体２１が予め設定された下限位置に至る量だけアクチュエータ３９が逆回転した場合には、昇降スイッチ４５での下降操作に拘わらず、アクチュエータ３９を停止させる。なお、コントローラ４４は、直前の昇降スイッチ４５の操作に基づくアクチュエータ３９の停止位置つまりインストルメントパネル本体２１の昇降高さ位置を標準高さ位置として記憶する。
【００２６】
さらに、コントローラ４４は、車速センサ４６から車速を示す車速信号が入力されており、車速に応じてアクチュエータ３９の回転つまりインストルメントパネル本体２１の昇降高さ位置を制御する。具体的には、走行時に、停車時に比してインストルメントパネル本体２１の高さ位置を高くする。
【００２７】
より具体的に、コントローラ４４は、車速が車両停止状態と判定できる所定のしきい値以下の状態では、アクチュエータ３９によってインストルメントパネル本体２１を昇降させずにおく。この状態、つまり停車時では、例えば図１に示すようにインストルメントパネル本体２１は基本的に低い位置にある。
【００２８】
他方、コントローラ４４は、車速が車両停止状態と判定できる所定のしきい値を超えると、アクチュエータ３９を正回転させてインストルメントパネル本体２１を上昇させることになり、図２および図６に示すようにインストルメントパネル本体２１が上限位置まで至る量だけアクチュエータ３９が正回転するとアクチュエータ３９を停止させる。この状態、つまり走行時にはインストルメントパネル本体２１は高い位置にある。
【００２９】
さらに、コントローラ４４は、この状態から、再び車速が所定のしきい値以下の状態になって停車状態と判断すると、記憶していた標準高さ位置までアクチュエータ３９を逆回転させて停止させる。これにより、インストルメントパネル本体２１は停車時の標準高さ位置に戻る。
【００３０】
なお、インストルメントパネル本体２１を、車速の上昇に応じて車速が速ければ速いほど高くなるように段階的または無段階に上昇させるようにしても良い。
【００３１】
以上に述べた本実施形態によれば、コントローラ４４が移動機構３０を制御することによって、乗員の目線の下側に配置されるインストルメントパネル本体２１を上下に移動させることになる。したがって、インストルメントパネル本体２１の上面２１ａの高さ位置を必要により調整することができる。
【００３２】
つまり、コントローラ４４は、昇降スイッチ４５の操作に応じて移動機構３０を制御することによって、インストルメントパネル本体２１を上下に移動させることになる。したがって、インストルメントパネル本体２１の高さ位置を個人個人の好みに合わせることができる。
【００３３】
また、コントローラ４４は、車速に応じて移動機構３０を制御することによって、インストルメントパネル本体２１を上下に移動させることになり、具体的には、停車時のインストルメントパネル本体２１の高さ位置に比して、走行時のインストルメントパネル本体２１の高さ位置を高くすることになる。したがって、停車時にインストルメントパネル本体２１を下降させてその上面２１ａの高さ位置を図１にＸ１で示すように乗員Ａの目線に対して低くして広々とした感覚を持たせたり、走行時にインストルメントパネル本体２１を上昇させてその上面２１ａの高さ位置を図６にＸ２で示すように乗員Ａの目線に対して停車時よりも高くして安心感を持たせたりすることができる。また、車速に応じてインストルメントパネル本体２１の高さ位置を制御することで逆にインストルメントパネル本体２１の見え方の感覚からおおよその車速を乗員Ａに把握させることができることになる。
【００３４】
加えて、移動機構３０は、車体側に設けられたウォームギア３８とインストルメントパネル本体２１側に設けられたラックギア３２とを有しているため、高さ位置の微調整が可能であり、簡素な構成で正確にインストルメントパネル本体２１を上下に移動させることができる。
【図面の簡単な説明】
【００３５】
【図１】本発明の一実施形態の車両用インストルメントパネルおよびその周辺を概略的に示す側面図であって、インストルメントパネル本体の下降時の状態を示すものである。
【図２】本発明の一実施形態の車両用インストルメントパネルの斜視図であって、インストルメントパネル本体の上昇時の状態を示すものである。
【図３】本発明の一実施形態の車両用インストルメントパネルにおける移動機構を示す分解斜視図である。
【図４】本発明の一実施形態の車両用インストルメントパネルおよびステアリングコラムを概略的に示す側断面図である。
【図５】本発明の一実施形態の車両用インストルメントパネルの制御系ブロック図である。
【図６】本発明の一実施形態の車両用インストルメントパネルおよびその周辺を概略的に示す側面図であって、インストルメントパネル本体の上昇時の状態を示すものである。
【符号の説明】
【００３６】
１６  フロントピラー（車体）
２１  インストルメントパネル本体
２１ａ  上面
３０  移動機構（移動手段）
３２  ラックギア
３８  ウオームギア
４４  コントローラ（移動手段）
【図１】
2005247246.tif 000003
【図２】
2005247246.tif 000004
【図３】
2005247246.tif 000005
【図４】
2005247246.tif 000006
【図５】
2005247246.tif 000007
【図６】
2005247246.tif 000008